【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
（ａ）図２（配列番号２）の約１又は約２０から約７３２のアミノ酸残基の配列を含んでなるＧＬＭ−ＲポリペプチドをコードするＤＮＡ分子、或いは（ｂ）（ａ）のＤＮＡ分子の相補体に対し、少なくとも約８０％の配列同一性を有するＤＮＡを含む、単離された核酸分子。
【請求項２】
図１（配列番号１）の約６３又は約１２０から約２２５８のヌクレオチド位の配列を含んでなる、請求項１に記載の単離された核酸分子。
【請求項３】
図１（配列番号１）のヌクレオチド配列を含んでなる、請求項１に記載の単離された核酸分子。
【請求項４】
図２（配列番号２）の約１又は約２０から約７３２のアミノ酸残基の配列をコードするヌクレオチド配列を含んでなる、請求項１に記載の単離された核酸分子。
【請求項５】
（ａ）２０００年５月１６日にＡＴＣＣ寄託番号１８７４−ＰＴＡ（ＤＮＡ１７３９２０−２９２４）でＡＴＣＣに寄託されたヒトタンパク質ｃＤＮＡによりコードされた成熟ポリペプチドをコードするＤＮＡ分子、或いは（ｂ）（ａ）のＤＮＡ分子の相補体に対し、少なくとも約８０％の配列同一性を有するＤＮＡを含んでなる、単離された核酸分子。
【請求項６】
２０００年５月１６日にＡＴＣＣ寄託番号１８７４−ＰＴＡ（ＤＮＡ１７３９２０−２９２４）でＡＴＣＣに寄託されたヒトタンパク質ｃＤＮＡによりコードされる成熟ポリペプチドをコードするＤＮＡを含んでなる、請求項５に記載の単離された核酸分子。
【請求項７】
（ａ）２０００年５月１６日にＡＴＣＣ寄託番号１８７４−ＰＴＡ（ＤＮＡ１７３９２０−２９２４）でＡＴＣＣに寄託されたヒトタンパク質ｃＤＮＡの完全長ポリペプチドコード化配列、或いは（ｂ）（ａ）のコード化配列の相補体に対し、少なくとも約８０％の配列同一性を有するＤＮＡを含んでなる、単離された核酸分子。
【請求項８】
２０００年５月１６日にＡＴＣＣ寄託番号１８７４−ＰＴＡ（ＤＮＡ１７３９２０−２９２４）でＡＴＣＣに寄託されたヒトタンパク質ｃＤＮＡの完全長ポリペプチドコード化配列を含んでなる、請求項７に記載の単離された核酸分子。
【請求項９】
図２（配列番号２）の１又は約２０から約７３２のアミノ酸をコードする核酸配列の相補体にハイブリダイズするＤＮＡを含んでなるＧＬＭ−Ｒポリペプチドをコードする、単離された核酸分子。
【請求項１０】
図２（配列番号２）の１又は約２０から約７３２のアミノ酸をコードする核酸が図１（配列番号１）の６３又は約１２０から約２２５８のヌクレオチドを有する、請求項９に記載の単離された核酸分子。
【請求項１１】
ハイブリダイゼーションがストリンジェントなハイブリダイゼーション及び洗浄条件の下で生じる、請求項９に記載の単離された核酸分子。
【請求項１２】
少なくとも約７０２のヌクレオチドを含み、ストリンジェントなハイブリダイゼーション条件下で、（ａ）図２（配列番号２）の１又は約２０から約７３２のアミノ酸残基の配列を有するＧＬＭ−ＲポリペプチドをコードするＤＮＡ分子、或いは（ｂ）（ａ）のＤＮＡ分子の相補体と、試験ＤＮＡ分子をハイブリダイズし、試験ＤＮＡ分子を単離することにより生成される、単離された核酸分子。
【請求項１３】
（ａ）又は（ｂ）に対して少なくとも約８０％の配列同一性を有する請求項１２に記載の単離された核酸分子。
【請求項１４】
請求項１ないし１３のいずれか１項に記載の核酸分子を含んでなるベクター。
【請求項１５】
ベクターにより形質転換された宿主細胞により認識される制御配列に、前記核酸分子が作用可能に結合させられた、請求項１４に記載のベクター。
【請求項１６】
受託番号１８７４−ＰＴＡ（ＤＮＡ１７３９２０−２９２４）でＡＴＣＣに寄託された核酸分子。
【請求項１７】
請求項１６に記載のベクターを含んでなる宿主細胞。
【請求項１８】
前記細胞がＣＨＯ細胞である、請求項１７に記載の宿主細胞。
【請求項１９】
前記細胞が大腸菌である、請求項１７に記載の宿主細胞。
【請求項２０】
前記細胞が酵母細胞である、請求項１７に記載の宿主細胞。
【請求項２１】
請求項１７に記載の宿主細胞を前記ＧＬＭ−Ｒポリペプチドの発現に適した条件下で培養し、細胞培養物から前記ＧＬＭ−Ｒポリペプチドを回収することを含んでなる、ＧＬＭ−Ｒポリペプチドの生成方法。
【請求項２２】
図２（配列番号２）の約１又は約２０から約７３２のアミノ酸残基の配列に対し、少なくとも約８０％の配列同一性を有するアミノ酸配列を含んでなる、単離されたＧＬＭ−Ｒポリペプチド。
【請求項２３】
図２（配列番号２）の１又は約２０から約７３２のアミノ酸残基を含んでなる、請求項２２に記載の、単離されたＧＬＭ−Ｒポリペプチド。
【請求項２４】
２０００年５月１６日にＡＴＣＣ寄託番号１８７４−ＰＴＡ（ＤＮＡ１７３９２０−２９２４）でＡＴＣＣに寄託されたベクターのｃＤＮＡ挿入断片によりコードされるポリペプチドに対し、少なくとも約８０％の配列同一性を有する、単離されたＧＬＭ−Ｒポリペプチド。
【請求項２５】
２０００年５月１６日にＡＴＣＣ寄託番号１８７４−ＰＴＡ（ＤＮＡ１７３９２０−２９２４）でＡＴＣＣに寄託されたベクターのｃＤＮＡ挿入断片によりコードされる、請求項２４に記載の単離されたＧＬＭ−Ｒポリペプチド。
【請求項２６】
図２（配列番号２）の１又は約２０から約７３２のアミノ酸残基配列、あるいは、抗ＧＬＭ−Ｒ抗体に結合部位を提供するのに十分なその断片を含んでなる、単離されたＧＬＭ−Ｒポリペプチド。
【請求項２７】
（ｉ）ストリンジェントな条件下で、（ａ）図２（配列番号２）の１又は約２０から約７３２のアミノ酸残基配列を含むＧＬＭ−Ｒポリペプチドをコード化するＤＮＡ分子、或いは（ｂ）（ａ）のＤＮＡ分子の相補体と、試験ＤＮＡ分子をハイブリダイズさせ、（ｉｉ）前記ポリペプチドの発現に適した条件の下で前記試験ＤＮＡ分子を含む宿主細胞を培養し、（ｉｉｉ）細胞培養物から前記ポリペプチドを回収することにより生成される、単離されたポリペプチド。
【請求項２８】
前記試験ＤＮＡが、（ａ）又は（ｂ）に対して少なくとも約８０％の配列同一性を有する、請求項２７に記載の単離されたポリペプチド。
【請求項２９】
異種アミノ酸配列に融合されたＧＬＭ−Ｒポリペプチドを含んでなるキメラ分子。
【請求項３０】
前記異種アミノ酸配列はエピトープタグ配列である、請求項２９に記載のキメラ分子。
【請求項３１】
前記異種アミノ酸配列は免疫グロブリンのＦｃ領域である、請求項２９に記載のキメラ分子。
【請求項３２】
ＧＬＭ−Ｒポリペプチドに特異的に結合する抗体。
【請求項３３】
前記抗体がモノクローナル抗体である請求項３２に記載の抗体。
【請求項３４】
前記抗体がヒト化抗体である請求項３２に記載の抗体。
【請求項３５】
前記抗体が抗体断片である請求項３２に記載の抗体。
【請求項３６】
ＧＬＭ−Ｒポリペプチドのアゴニスト。
【請求項３７】
ＧＬＭ−Ｒポリペプチドのアンタゴニスト。
【請求項３８】
製薬的に許容される担体と混合されて、（ａ）ＧＬＭ−Ｒポリペプチド、（ｂ）ＧＬＭ−Ｒポリペプチドのアゴニスト、（ｃ）ＧＬＭ−Ｒポリペプチドのアンタゴニスト、又は（ｄ）抗ＧＬＭ−Ｒ抗体を含有する組成物。
【請求項３９】
（ａ）図２（配列番号２）のアミノ酸１からＸ（ここで、Ｘは図２（配列番号２）の５１０ないし５１９のいずれかのアミノ酸である）をコードするＤＮＡ分子、或いは（ｂ）（ａ）のＤＮＡ分子の相補体に対して、少なくとも約８０％の配列同一性を有するヌクレオチド配列を含んでなる、単離された核酸分子。
【請求項４０】
（ａ）図２（配列番号２）のアミノ酸１からＸ（ここで、Ｘは図２（配列番号２）の５１０ないし５１９のいずれかのアミノ酸である）をコードするヌクレオチド配列、或いは（ｂ）（ａ）のヌクレオチド配列の相補体を含んでなる、請求項３９に記載の単離された核酸分子。
【請求項４１】
図２（配列番号２）のアミノ酸１からＸ（ここで、Ｘは図２（配列番号２）の５１０ないし５１９のいずれかのアミノ酸である）に対して少なくとも約８０％の配列同一性を有するアミノ酸配列を含んでなる、単離された可溶性ＧＬＭ−Ｒポリペプチド。
【請求項４２】
図２（配列番号２）のアミノ酸１からＸ（ここで、Ｘは図２（配列番号２）の５１０ないし５１９のいずれかのアミノ酸である）を含んでなる、請求項４１に記載の単離された可溶性ＧＬＭ−Ｒポリペプチド。
【請求項４３】
ａ）ＧＬＭ−Ｒの試料に候補生物活性剤を添加する工程と、
ｂ）前記ＧＬＭ−Ｒに対する前記候補剤の結合性を決定する工程を含み、結合がＧＬＭ−Ｒに結合可能な生物活性剤であることを示す、ＧＬＭ−Ｒに対する結合能を有する生物活性剤のスクリーニング方法。
【請求項４４】
ａ）ＧＬＭ−Ｒの試料に候補生物活性剤を添加する工程と、
ｂ）ＧＬＭ−Ｒの生物学的活性における変化を決定する工程を含み、変化がＧＬＭ−Ｒの活性を調節可能な生物活性剤であることを示す、ＧＬＭ−Ｒの活性を調節する能力を有する生物活性剤のスクリーニング方法。
【請求項４５】
ＧＬＭ−Ｒのレセプターの同定方法において、細胞膜物質を含む組成物にＧＬＭ−Ｒを組み合わせ、前記ＧＬＭ−Ｒを前記細胞膜物質上でレセプターと複合体化させ、前記レセプターをＧＬＭ−Ｒレセプターとして同定することを含んでなる方法。
【請求項４６】
ＧＬＭ−Ｒが前記レセプターに結合し、前記ＧＬＭ−Ｒとレセプターを架橋させる工程を更に含む、請求項４５に記載の方法。
【請求項４７】
前記組成物が細胞である、請求項４５に記載の方法。
【請求項４８】
前記組成物が細胞膜抽出調製物である、請求項４５に記載の方法。
【請求項４９】
ＧＬＭ−Ｒをコード化する導入遺伝子を含むゲノムを有する齧歯動物。